(57)【特許請求の範囲】
【請求項１】
撮像素子と、内蔵する記録媒体に前記撮像素子で撮影された映像信号を記録する第１の記録部とを備えたビデオカメラ部と、
電子ビューファインダーまたは再生用モニターとして機能する液晶ディスプレイと、前記ビデオカメラ部で撮影された映像信号を内蔵する記録媒体に記録する第２の記録部とを備えた記録装置本体と、
前記ビデオカメラ部と前記記録装置本体とを電気的に接続する脱着可能な接続コードと、
前記ビデオカメラ部に設けられ、前記ビデオカメラ部で撮影された映像信号の出力を前記第１の記録部または前記第２の記録部に切り替える映像信号出力切り替え用のスイッチとを備えたビデオカメラ付き記録装置であって、
前記ビデオカメラ部および前記記録装置本体にはそれぞれ撮影操作を行うための撮影操作用ボタンが設けられ、
前記ビデオカメラ部は、前記記録装置本体と前記接続コードにより接続された状態において、前記ビデオカメラ部の前記撮影操作用ボタンと前記記録装置本体の撮影操作用ボタンとが同時に操作された場合に、予め設定された優先順序に従って、前記ビデオカメラ部側の操作あるいは前記記録装置本体側の操作の何れかを優先させる優先順序判別手段を備えたことを特徴とするビデオカメラ付き記録装置。
【請求項２】
請求項１に記載のビデオカメラ付き記録装置において、
前記記録装置本体は主バッテリーを備え、前記ビデオカメラ部はサブバッテリーを備え、
前記ビデオカメラ部は、前記ビデオカメラ部と前記記録装置本体とが前記接続コードにより接続された状態では、前記ビデオカメラ部の電源として前記主バッテリーを選択し、前記接続コードによる接続を外した状態では、前記ビデオカメラ部の電源として前記サブバッテリーを選択する電源切り替え手段を備えたことを特徴とするビデオカメラ付き記録装置。
【請求項３】
請求項２に記載のビデオカメラ付き記録装置において、
前記映像信号出力切り替え用のスイッチは、前記ビデオカメラ部と前記記録装置本体とが前記接続コードにより接続された状態では、前記ビデオカメラ部で撮影された映像信号を前記第２の記録部に出力し、前記接続コードによる接続を外した状態では、前記ビデオカメラ部で撮影された映像信号を前記第１の記録部に出力することを特徴とするビデオカメラ付き記録装置。
【請求項４】
請求項１乃至３の何れか１項に記載のビデオカメラ付き記録装置において、
前記ビデオカメラ部と前記記録装置本体は、それぞれマイクとスピーカと音声信号通信手段を備えたことを特徴とするビデオカメラ付き記録装置。
【請求項５】
請求項１乃至４の何れか１項に記載のビデオカメラ付き記録装置において、
前記第１の記録部に記録した映像データを前記第２の記録部に転送する転送手段を備えたことを特徴とするビデオカメラ付き記録装置。
【請求項６】
請求項１乃至５の何れか１項に記載のビデオカメラ付き記録装置において、
前記ビデオカメラ部に、被写対象に対する画角のみの確認が行える簡易ファインダーを設けたことを特徴とするビデオカメラ付き記録装置。
【請求項７】
請求項１乃至５の何れか１項に記載のビデオカメラ付き記録装置において、
前記ビデオカメラ部に、光学ビューファインダーを設けたことを特徴とするビデオカメラ付き記録装置。
【請求項８】
請求項１乃至７の何れか１項に記載のビデオカメラ付き記録装置において、
前記ビデオカメラ部と前記記録装置本体とを、一体化可能でかつ分離可能な連結部を設けたことを特徴とするビデオカメラ付き記録装置。
【発明の詳細な説明】
【０００１】
【発明の属する技術分野】
本発明は、ビデオカメラ付きＶＴＲ等のビデオカメラ付き記録装置に係り、特に、電子ビューファインダーまたは再生用モニターとして機能する液晶ディスプレイをもつ記録部と、ビデオカメラ部とを分離可能とし、記録部とビデオカメラ部とを一体化した状態、あるいは記録部とビデオカメラ部とを分離した状態の何れにおいても、ビデオカメラ部で撮影した画像を記録部に内蔵した記録媒体へ記録可能としたビデオカメラ付き記録装置に関する。
【０００２】
【従来の技術】
家庭用の映像記録装置としては、磁気テープを記録媒体としたカメラ一体型ＶＴＲが一般的である。このカメラ一体型ＶＴＲにおいて、従来の片目による覗き込みタイプの小型の電子ビューファインダーや光学ビューファインダーに代えて、比較的大きな液晶ディスプレイを具備した大型液晶ディスプレイ付きカメラ一体型ＶＴＲが、近年普及しつつある。上記の比較的大きな液晶ディスプレイは、撮影時には電子ビューファインダーとして用いることができ、再生時にはモニターとして用いることができるので、撮影した映像を簡単に鑑賞することができ、家庭用ユースとして重宝されている。なお、この種の大型液晶ディスプレイ付きカメラ一体型ＶＴＲが開示された公知例としては、例えば、特開平６−９８２１０号公報が挙げられる。
【０００３】
ところで、上記したように従来の大型液晶ディスプレイ付きカメラ一体型ＶＴＲは、液晶ディスプレイ付きのＶＴＲ部とレンズを有するビデオカメラ部（以下、カメラ部と称す）とが、分離不能に一体化されていたため、撮影時には重量の嵩むＶＴＲデッキメカニズムを内蔵したＶＴＲ部を、カメラ部と共に保持しなければならなかった。このため、例えば、前方に人垣がありその向こうの被写体を撮影したい場合には、脚立や踏み台等を用意しなければ撮影が困難であったり、あるいは、威かすと逃げる小動物等をカメラを接近させて撮影することが困難であったりした。あるいはまた、地面に近い被写体を低い位置から撮影したい場合等には、撮影者が屈み込んだ状態でさらに首をねじ曲げて撮影を行ったり、腹這いになって撮影を行ったりするので、無理な撮影姿勢を強いられて身体に負担がかかったり、衣服が汚れたりした。つまり、従来のカメラ一体型ＶＴＲは、ＶＴＲ部とカメラ部とが切り離せないが故に、撮影の汎用性に自ずと限界があるものであった。
【０００４】
そこで本願出願人は、上記した従来のカメラ一体型ＶＴＲに較べて、撮影の汎用性を大幅に高め得るように、液晶ディスプレイをもつ記録部（ＶＴＲ部）とカメラ部とを分離可能とし、記録部とカメラ部とを分離した状態においても、記録部の液晶ディスプレイを電子ビューファインダーとして用いた撮影が可能なビデオカメラ付き記録装置を、特願平７−１１７２９２号において提案した。
【０００５】
【発明が解決しようとする課題】
上記の先願によるビデオカメラ付き記録装置では、上記したように、記録部（ＶＴＲ部）とカメラ部とを一体化した状態、あるいは記録部とカメラ部とを分離した状態の何れにおいても、記録部の液晶ディスプレイを電子ビューファインダーとして用いた撮影が可能となっている。したがって、記録部とビデオカメラ部とを分離した撮影状態では、例えば、人垣の向こうの被写体を撮影する場合には、脚立や踏み台等を用意しなくても、カメラ部のみを頭上にかざすだけで、容易に所望の被写体を撮影することができる。また、威かすと逃げる小動物等を撮影する場合には、撮影者は物陰に隠れて、カメラ部のみを小動物等の出没場所に設置することで、小動物等の撮影チャンスを大幅に増大させることができる。あるいはまた、地面に近い被写体を低い位置から撮影する場合には、撮影者が屈み込んでカメラ部のみを地面に近い位置に保持することによって、無理な撮影姿勢をとらなくても、あるいは衣服を汚すことなく、容易に所望の被写体を撮影することができる。
【０００６】
かように、前記先願によるビデオカメラ付き記録装置においては、撮影の汎用性が大幅に高められる。しかし、さらなる使い勝手の向上を図ることが、ユーザにとってより利便性が高まることは言うまでもなく、この点での改良の余地があるものであった。
【０００７】
本発明は上記の点に鑑みなされたもので、その目的とするところは、電子ビューファインダーまたは再生用モニターとして機能する液晶ディスプレイをもつ記録部と、カメラ部とを分離可能とし、記録部とカメラ部とを一体化した状態、あるいは記録部とカメラ部とを分離した状態の何れにおいても、カメラ部で撮影した画像を記録部に内蔵した記録媒体へ記録可能としたビデオカメラ付き記録装置において、記録部とカメラ部とを分離した際の使い勝手をより一層向上させたビデオカメラ付き記録装置を提供することにある。
【０００８】
【課題を解決するための手段】
本発明のビデオカメラ付き記録装置は、前記目的を達成するため、撮像素子と内蔵する記録媒体に前記撮像素子で撮影された映像信号を記録する第１の記録部とを備えたビデオカメラ部と、電子ビューファインダーまたは再生用モニターとして機能する液晶ディスプレイと前記ビデオカメラ部で撮影された映像信号を内蔵する記録媒体に記録する第２の記録部とを備えた記録装置本体と、前記ビデオカメラ部と前記記録装置本体とを電気的に接続する脱着可能な接続コードと、前記ビデオカメラ部に設けられ、前記ビデオカメラ部で撮影された映像信号の出力を前記第１の記録部または前記第２の記録部に切り替える映像信号出力切り替え用のスイッチとを備え、前記ビデオカメラ部および前記記録装置本体にはそれぞれ撮影操作を行うための撮影操作用ボタンが設けられ、前記ビデオカメラ部は、前記記録装置本体と前記接続コードにより接続された状態において、前記ビデオカメラ部の前記撮影操作用ボタンと前記記録装置本体の撮影操作用ボタンとが同時に操作された場合に、予め設定された優先順序に従って、前記ビデオカメラ部側の操作あるいは前記記録装置本体側の操作の何れかを優先させる優先順序判別手段を備えるようにする。
【００２０】
【発明の実施の形態】
以下、本発明の実施の形態を説明する。なお、以下に示す本発明の各実施形態においては、記録部としてＶＴＲ部をもつ、ビデオカメラ付きＶＴＲを例にとっているが、本発明における記録部としては、磁気テープ以外にも磁気ディスク，光磁気ディスク，光ディスク，大容量カード型半導体メモリー等を記録媒体として、これらを着脱自在に内蔵する記録部であればよく、本発明で言うビデオカメラ付き記録装置とは、ビデオカメラ付きＶＴＲに限定されるものではない。
【００２１】
図１〜図４は本発明の第１実施形態に係り、図１はＶＴＲ部とカメラ部とを一体化した状態でのビデオカメラ付きＶＴＲの斜視図、図２はＶＴＲ部とカメラ部とを分離した状態でのビデオカメラ付きＶＴＲの斜視図、図３はカメラ部の斜視図、図４はＶＴＲ部とカメラ部の通話制御系回路を示すブロック図である。なお、本発明の各実施形態では、ＶＴＲ部の正面とは液晶ディスプレイを設けた面を指し、カメラ部の正面とはレンズを設けた面を指す。
【００２２】
図１および図２において、１はＶＴＲ部、２はカメラ部（ビデオカメラ部）、３は接続コードである。ＶＴＲ部１とカメラ部２とは接続コード３によって接続され、この接続コード３によって、ＶＴＲ部１とカメラ部２との間の信号の授受と、ＶＴＲ部１に内蔵したバッテリーからのカメラ部２への電源供給とが行われる。接続コード３は用途に応じて長さの異なるものがいくつか用意され、図１，図２では最も短い接続コード３が示されているが、５ｍ以上の接続コード３を用いることも可能となっている。
【００２３】
ＶＴＲ部１とカメラ部２は、図１に示すように、両者１，２を一体化して使用することも、図２に示すように、両者１，２を分離して使用することも可能であるようになっており、両者１，２を一体化して使用する際には、ＶＴＲ部１に設けられた装着台座部４（図２）に、カメラ部２が取り付けられるようになっている。なお、装着台座部４は、折り畳み可能でかつ回転可能なようになっており、この装着台座部４に対してカメラ部２は、図１に示す位置（カメラ部２のレンズが撮影者と反対側の被写体に向いた対物撮影位置）と、図示していないがカメラ部２のレンズが撮影者方向を向いた位置（対面撮影位置）とを、選択的にとり得るように、どちら向きにも取り付けられるようになっている。
【００２４】
ＶＴＲ部１には、マイクおよびスピーカ以外は図示していないが、ＴＶチューナ，チューナ受信信号処理回路，記録／再生系映像信号処理回路，記録／再生系音声信号処理回路，ＶＴＲメカニズム，メカニズム駆動制御系回路，ＯＳＤ（オンスクリーンディスプレイ）用画像信号処理回路，液晶駆動回路，マイク５，スピーカ６，ＶＴＲ部１およびカメラ部２の統括制御を司るマイコン，バッテリー等々が内蔵されており、各種の制御・演算機能はマイコンによって実現されるようになっている。
【００２５】
また、本第１実施形態においては、ＶＴＲ部１には、さらにＶＴＲ部１の上面側に配設された上記マイク５とスピーカ６を利用して、カメラ部２と交信通話を行うための通話制御系回路が内蔵されている。この通話制御系回路については、図４を用いて後述する。
【００２６】
カメラ部２には、その一部しか図示していないが、ズームレンズを含む撮影レンズ７（図２），ズーム用モータ，絞り，ＣＣＤ（固体撮像素子），これらの駆動制御系回路，映像信号処理回路，マイク８（図２），音声信号処理回路，カメラ部２の統括制御を司るマイコン等々が内蔵されている。
【００２７】
また、本第１実施形態においては、カメラ部２には、さらにスピーカ９が内蔵されていると共に、上記マイク８とスピーカ９を利用して、ＶＴＲ部１と交信通話を行うための通話制御系回路が内蔵されている。この通話制御系回路については、図４を用いて後述する。図３に示すように、マイク８は被写体側の音声を拾いやすいようにカメラ部２の正面側に配設され、スピーカ９はカメラ部２の側面側に配設されている。なお、マイク８あるいはスピーカ９は、カメラ部２の上面側に配設してもよい。
【００２８】
図１に示すように、ＶＴＲ部１の正面の上側には液晶ディスプレイ１０の表示面が配設されており、この液晶ディスプレイ１０は、撮影時には電子ビューファインダーとして機能し、再生時にはモニターとして機能する。また、ＶＴＲ部１の右側面の下側には、着脱可能なハンドグリップベルト１１が取り付けられており、ＶＴＲ部１を右手でホールドする際の補助とされる。また、図２に示すように、ＶＴＲ部１の左側面には伸縮自在な受信アンテナ１２が配設されており、ＴＶ受信時には伸ばした状態にされる。
【００２９】
また、図１に示すように、ＶＴＲ部１の正面と右側面には、操作ボタンや操作ダイヤルが配設されており、これらの動作制御用の操作手段１３群によって、ＶＴＲ部１とカメラ部２のもつ動作機能を総べて制御できるようになっている。すなわち、操作手段１３群によって、撮影，再生，ＴＶ受信，外部機器との通信等の動作制御や、後記するＶＴＲ部１とカメラ部２との間の交信通話のオン／オフの切り替え等々を行えるようになっている。
【００３０】
次に、ＶＴＲ部１とカメラ部２の通話制御系回路について、図４を用いて説明する。図４において、５および６はＶＴＲ部１の前記したマイクおよびスピーカであり、８および９はカメラ部２の前記したマイクおよびスピーカである。また、２１はＶＴＲ部１とカメラ部２との間の交信通話のオン／オフ切り替え用のスイッチ、２２はアンプ回路、２３は変復調回路、２４は混合回路、２５は記録音声モード切り替え用のスイッチ、２６は前記接続コード３中の音声信号伝送線、２７は変復調回路、２８はアンプ回路である。
【００３１】
ＶＴＲ部１とカメラ部２との間で交信通話を行わせるためには、まず、前記操作手段１３群中の適宜手段を操作することによって、切り替え制御信号Ｓ１をスイッチ２１に入力し、スイッチ２１をオン状態におく。この状態で、ＶＴＲ部１のマイク５から入力された音声信号は、スイッチ２１を経由して、アンプ回路２２で増幅や雑音除去等の処理を施された後、変復調回路２３に入力されて変調される。この変調された音声信号は、音声信号伝送線２６を介してカメラ部２の変復調回路２７に入力されて、復調される。復調された音声信号は、アンプ回路２８で適宜に増幅された後、カメラ部２のスピーカ９から出力される。また、カメラ部２のマイク８から入力された音声信号は、アンプ回路２８で増幅や雑音除去等の処理を施された後、変復調回路２７に入力されて変調される。この変調された音声信号は、音声信号伝送線２６を介してＶＴＲ部１の変復調回路２３に入力されて、復調される。復調された音声信号は、アンプ回路２２で適宜に増幅された後、スイッチ２１を通ってＶＴＲ部１のスピーカ６から出力される。すなわち、かような構成・動作で、ＶＴＲ部１とカメラ部２との間で双方向の通話が行われる。
【００３２】
ここで、本第１実施形態においては、記録音声モードとして、▲１▼ＶＴＲ部１のマイク５から入力された音声信号のみを記録するモードと、▲２▼カメラ部２のマイク８から入力された音声信号のみを記録するモードと、▲３▼ＶＴＲ部１のマイク５およびカメラ部２のマイク８から入力された音声信号を記録するモードという、３つのモードをもっている。そして、この３つのモードの選択は、操作手段１３群中の適宜手段を操作することによって、切り替え制御信号Ｓ２をスイッチ２５に入力し、スイッチ２５を切り替えることによって行われる。上記▲１▼のモードが選択されると、ＶＴＲ部１のマイク５から入力された音声信号が音声信号記録系へ出力され、上記▲２▼のモードが選択されると、カメラ部２のマイク８から入力された音声信号が音声信号記録系へ出力され、上記▲３▼のモードが選択されると、ＶＴＲ部１のマイク５から入力された音声信号とカメラ部２のマイク８から入力された音声信号とが、混合回路２４で混合された後、音声信号記録系へ出力される。
【００３３】
上述したように、本第１実施形態では、ＶＴＲ部１とカメラ部２とにそれぞれマイクとスピーカとを具備し、ＶＴＲ部１とカメラ部２との間で双方向の通話を行える、謂わばトランシーバの機能を具備している。したがって、ＶＴＲ部１とカメラ部２とを分離して、かつ、両者１，２を長尺の接続コード３を用いて接続した状態で、ＶＴＲ部１を操作する人間（以下、これを第１撮影者と称す）と、カメラ部２を保持して撮影レンズ７を被写体に向ける人間（以下、これを第２撮影者と称す）とがいる場合には、第１撮影者と第２撮影者とが離れていても、両者間で容易に通話を行うことができる。このため、例えば、第１撮影者から第２撮影者に対して、「もっと前進して下さい。」，「カメラを右に向けて下さい。」などといった指示を的確に伝えることや、会話を楽しむことが可能となって、大いに利便性が向上する。また、第１撮影者のみがいて、カメラ部２は適宜の場所されている場合においては、第１撮影者と被写体となる人物との通話ができるので、第１撮影者から被写体となる人物に直接指示を与えたり、会話を楽しむことができ、この点でも大いに利便性が向上する。
【００３４】
さらに、本第１実施形態では、上記したように第１撮影者と第２撮影者とがいる場合において、前記▲３▼の記録音声モードを選択すると、第１撮影者の音声と第２撮影者の音声を、ナレーションとして記録することが可能となり、大いに利便性が向上する。また、前記▲１▼〜▲３▼の記録音声モードを、撮影（録画）中に適宜に切り換えることにより、録音したい音声のみ選択的に記録することが可能となって、この点でも大いに利便性が向上する。
【００３５】
次に、本発明の第２実施形態を、図５および図６を用いて説明する。図５は本発明の第２実施形態に係るビデオカメラ付きＶＴＲのカメラ部２を正面側から見た概略構成を示す斜視説明図、図６は本第２実施形態によるカメラ部２内の要部回路構成を示すブロック図である。なお、本第２実施形態においては、ＶＴＲ部１が前記した通話制御系回路をもたない点を除いて、ＶＴＲ部１の構成は先の第１実施形態と全く同様である（これは、以下の各実施形態においても同様である）。
【００３６】
本第２実施形態においては、図５に示すように、カメラ部２内に、短時間記録用のサブバッテリー３１と半導体メモリー３２とを内蔵している。また、ＶＴＲ部１側に設けられた記録スタート／ストップボタンの他に、カメラ部２側にも記録スタート／ストップボタン３３を設けてある。
【００３７】
また、図６に示すように、カメラ部２内には、ＶＴＲ部１内の前記したバッテリーからの電源とサブバッテリー３１からの電源とを、撮影系回路（前記のＣＣＤ，駆動制御系回路，ズーム用モータ，映像信号処理回路，カメラ部２の統括制御を司るマイコン等）３５に切り替えて供給するための電源切り替え用のスイッチ３４と、撮影系回路３５から出力される映像信号を、ＶＴＲ部１または半導体メモリー３２に切り替えて出力するための映像信号出力切り替え用のスイッチ３６とが設けられている。
【００３８】
通常、スイッチ３４はＶＴＲ部１のバッテリー側へ、スイッチ３６はＶＴＲ部１への出力側にそれぞれ切り替えられた位置をとっており、カメラ部２の撮影系回路３５にはＶＴＲ部１のバッテリーから電源が供給され、また、撮影系回路３５から出力される画像信号は、ＶＴＲ部１の映像信号記録系へ出力されるようになっている。このとき、撮影系回路３５は、ＶＴＲ部１の記録スタート／ストップボタンからの指令に基づく、記録スタート／ストップ制御信号Ｓ４によって制御されるようになっている。
【００３９】
一方、ＶＴＲ部１のバッテリーの残量が少なくなったとき、あるいは、ＶＴＲ部１とカメラ部２とを接続する接続コード３を外したときには、この旨を検知したカメラ部２内のマイコンからの切り替え制御信号Ｓ３によって、スイッチ３４はサブバッテリー３１側へ、スイッチ３６は半導体メモリー３２への出力側にそれぞれ切り替えられ、カメラ部２の撮影系回路３５にはサブバッテリー３１から電源が供給され、また、撮影系回路３５から出力される画像信号は、半導体メモリー３２へ出力されるようになる。このとき、撮影系回路３５は、カメラ部２の記録スタート／ストップボタン３３からの指令に基づく、記録スタート／ストップ制御信号Ｓ５によって制御されるようになっている。
【００４０】
かような構成をとる本第２実施形態においては、ＶＴＲ部１のバッテリーの残量が尽きたとき、あるいは、接続コード３の長さが足りないときに、カメラ部２を、ＶＴＲ部１と電気的接続を絶った完全な独立状態において、カメラ部２自身に内蔵したサブバッテリー３１を電源として、カメラ部２の半導体メモリー３２に映像信号を記録することができる。半導体メモリー３２に記憶される映像信号はごく短時間分の動画像や、あるいは静止画像であるが、ＶＴＲ部１のバッテリーの残量が尽きたとき、あるいは、接続コード３の長さが足りないときに、撮影チャンスを逃がすことなく、狙った被写体を撮影できるので、大いに利便性が向上する。なお、半導体メモリー３２に記憶された映像データは、後の適当なタイミングでＶＴＲ部１側へと転送されて、ＶＴＲ部１内の記録媒体（ここでは、磁気テープに）に記憶できるようになっていることは、言うまでもない。
【００４１】
次に、本発明の第３実施形態を、図７および図８を用いて説明する。図７は本発明の第３実施形態に係るビデオカメラ付きＶＴＲのカメラ部２を背面側から見た斜視説明図、図８は本第３実施形態によるカメラ部２内の要部回路構成を示すブロック図である。
【００４２】
本第３実施形態においては、図７に示すように、ＶＴＲ部１側に設けられた記録スタート／ストップボタンおよびズーム調整ボタンの他に、カメラ部２側にも、記録スタート／ストップボタン３３およびズーム調整ボタン４１を設けてあり、カメラ部２側においても、記録スタート／ストップの操作とズーム調整とを可能にしてある。なお、本第３実施形態では、カメラ部２には前記第２実施形態のサブバッテリー３１や半導体メモリー３２は内蔵されていない。
【００４３】
また、図８に示すように、カメラ部２内には、命令優先順序判別回路４２を設けて、ＶＴＲ部１側での操作とカメラ部２側での操作とが同時に行われたときに、何れを優先するかを判別するようになっている。命令優先順序判別回路４２において、ＶＴＲ部１側の操作とカメラ部２側の操作の何れを優先させるかは、任意であって、予め書き替えに設定される。いま例えば、カメラ部２側での操作を優先させるように設定されていると、ＶＴＲ部１の記録スタート／ストップボタンからの指令に基づく記録スタート／ストップ制御信号Ｓ４と、カメラ部２の記録スタート／ストップボタン３３からの指令に基づく記録スタート／ストップ制御信号Ｓ５とが同時に到来すると、命令優先順序判別回路４２は、記録スタート／ストップ制御信号Ｓ５を撮影系回路３５に出力し、また、ＶＴＲ部１のズーム調整ボタンからの指令に基づくズーム制御信号Ｓ７と、カメラ部２のズーム調整ボタン４１からの指令に基づくズーム制御信号Ｓ６とが同時に到来すると、命令優先順序判別回路４２は、ズーム制御信号Ｓ６を撮影系回路３５に出力する。
【００４４】
かような構成をとる本第３実施形態では、ＶＴＲ部１からでもカメラ部２からでも撮影操作を行うことが可能であるので、先に述べたように第１撮影者と第２撮影者とがいる使用形態において、第１撮影者と第２撮影者の何れもが撮影操作を行えて、大いに利便性が向上する。
【００４５】
なお、本第３実施形態においては、カメラ部２に記録スタート／ストップボタン３３とズーム調整ボタン４１を設けているが、カメラ部２に設けるのは、記録スタート／ストップボタン３３またはズーム調整ボタン４１の何れか一方であってもよい。
【００４６】
なおまた、本第３実施形態や前記第２実施形態のように、カメラ部２側でも撮影操作を行えるようにした場合には、後記する第４，第５，第６実施形態のように、カメラ部２側にも何らかのファインダー手段を設けることが望ましい。
【００４７】
次に、本発明の第４実施形態を図９を用いて説明する。図９は本発明の第４実施形態に係るビデオカメラ付きＶＴＲのカメラ部２を正面側から見た斜視説明図である。
【００４８】
本第４実施形態においては、図９に示すように、ＶＴＲ部１に設けられた電子ビューファインダーとして機能する前記液晶ディスプレイ１０の他に、カメラ部２側にも、被写対象に対して画角のみの確認が行える簡易ファインダー５１を設けてある。この簡易ファインダー５１は、保持台５１ａと、保持台５１ａ上に立てられた矩形の枠部材５１ｂと、枠部材５１ｂに嵌められた透明部材５１ｃとを具備しており、簡易ファインダー５１は、カメラ部２のズーム動作（ズーム用モータの回転動作）と連動して、カメラ部２の上面に設けられた案内部材５２に沿って前後動するようになっている。また、図９では簡略化してあるが、簡易ファインダー５１は未使用時には折り畳めるように構成されている。
【００４９】
かような構成をとる本第４実施形態では、カメラ部２側においても画角の確認が行えるので、先に述べたように第１撮影者と第２撮影者とがいる使用形態において、第２撮影者側でも画角の確認が行えるので、大いに利便性が向上する。また、撮影者が１人の場合でも、ＶＴＲ部１の液晶ディスプレイ１０を用いなくても、カメラ部２のみで画角の確認が行えるので、この点でも利便性が向上し、さらにこの場合は、ＶＴＲ部１の大型の液晶ディスプレイ１０を電源オフ状態におけるので、消費電力を低減できる。
【００５０】
次に、本発明の第５実施形態を図１０を用いて説明する。図１０は本発明の第５実施形態に係るビデオカメラ付きＶＴＲのカメラ部２を背面側から見た斜視説明図である。
【００５１】
本第５実施形態においては、図１０に示すように、ＶＴＲ部１に設けられた電子ビューファインダーとして機能する前記液晶ディスプレイ１０の他に、カメラ部２側にも、片目による覗き込みタイプの光学ビューファインダー５３が設けてある。この光学ビューファインダー５３の画角は、カメラ部２のズーム動作連動して自動調整されるようになっている。
【００５２】
かような構成をとる本第５実施形態では、前記第４実施形態と同様に、カメラ部２側においても画角の確認が行えるので、先に述べたように第１撮影者と第２撮影者とがいる使用形態において、第２撮影者側でも画角の確認が行えるので、大いに利便性が向上する。また、撮影者が１人の場合でも、ＶＴＲ部１の液晶ディスプレイ１０を用いなくても、カメラ部２のみで画角の確認が行えるので、この点でも利便性が向上し、さらにこの場合は、ＶＴＲ部１の大型の液晶ディスプレイ１０を電源オフ状態におけるので、消費電力を低減できる。
【００５３】
次に、本発明の第６実施形態を図１１を用いて説明する。図１１は本発明の第６実施形態に係るビデオカメラ付きＶＴＲのカメラ部２を背面側から見た斜視説明図である。
【００５４】
本第６実施形態においては、図１１に示すように、ＶＴＲ部１に設けられた電子ビューファインダーとして機能する前記液晶ディスプレイ１０の他に、カメラ部２側にも、小型液晶ディスプレイを用いた片目による覗き込みタイプの電子ビューファインダー５４が設けてある。この電子ビューファインダー５４には、ＶＴＲ部１からの画像信号の供給によって、ＶＴＲ部１の液晶ディスプレイ１０と同様の被写体の映像が表示可能なようにしてある。したがって、カメラ部２の電子ビューファインダー５４によっても、画角や合焦状態が確認できるようになっている。
【００５５】
かような構成をとる本第６実施形態では、カメラ部２側においても画角や合焦状態の確認が行えるので、先に述べたように第１撮影者と第２撮影者とがいる使用形態において、第２撮影者側でも画角や合焦状態の確認が行えるので、大いに利便性が向上する。また、撮影者が１人の場合でも、ＶＴＲ部１の液晶ディスプレイ１０を用いなくても、カメラ部２のみで画角や合焦状態の確認が行えるので、この点でも利便性が向上し、さらにこの場合は、ＶＴＲ部１の大型の液晶ディスプレイ１０を電源オフ状態におけるので、消費電力を低減できる。
【００５６】
さらにまた、本第６実施形態においてはカメラ部２に電子ビューファインダー５４を設けているので、ＶＴＲ１部側でＯＳＤ機能によって生成した文字や記号等を、カメラ部２の電子ビューファインダー５４に表示させることができる。したがって、第１撮影者と第２撮影者とがいる使用形態においては、第１撮影者から第２撮影者に対して、文字等によって、「もっと前進。」などといった指示を的確に伝えることが可能となって、大いに利便性が向上する。そしてこの場合には、前記第１実施形態と異なって、第１撮影者による指示を音声出力ないし録音しないという利点もある。また、カメラ部２の電子ビューファインダー５４によって、ＶＴＲ１部側のバッテリー残量の確認等を行えるという利点もある。
【００５７】
次に、本発明の第７実施形態を図１２を用いて説明する。図１２は本発明の第７実施形態に係るビデオカメラ付きＶＴＲのカメラ部２を正面側から見た斜視説明図である。
【００５８】
本第７実施形態においては、図１２に示すように、ＶＴＲ部１に設けられた録画動作状態の有無を表示するタリー（tally ）ランプの他に、カメラ部２側にも、その上面に録画動作状態の有無を表示するタリーランプ６１を設けてある。
【００５９】
かような構成をとる本第７実施形態では、カメラ部２側においても録画動作状態であるか否かの確認が行えるので、前記第２撮影者や被写体となる人物からも録画動作状態の有無の確認が行えて、大いに利便性が向上する。
【００６０】
次に、本発明の第８実施形態を図１３を用いて説明する。図１３は本発明の第８実施形態に係るビデオカメラ付きＶＴＲのカメラ部２を正面側から見た斜視説明図である。
【００６１】
本第８実施形態においては、図１３に示すように、ＶＴＲ部１に設けられた録画動作状態の有無を表示するタリーランプの他に、カメラ部２側にも、その正面と背面とに、録画動作状態の有無を表示するタリーランプ６１を設けてある（図１３では、カメラ部２の背面側のタリーランプ６１は図示していない）。
【００６２】
かような構成をとる本第８実施形態では、前記第７実施形態と同様に、カメラ部２側においても録画動作状態であるか否かの確認が行えるので、前記第２撮影者や被写体となる人物からも録画動作状態の有無の確認が行えて、大いに利便性が向上する。
【００６３】
次に、本発明の第９実施形態を、図１４〜図１６を用いて説明する。図１４〜図１６は本発明の第９実施形態に係り、図１４はビデオカメラ付きＶＴＲのカメラ部２を左手でホールドした状態の説明図、図１５はカメラ部２用のハンドグリップベルトの斜視図、図１６はＶＴＲ部１を右手で、カメラ部２を左手でそれぞれホールドした状態の説明図である。
【００６４】
本第９実施形態は、ＶＴＲ部１側に着脱自在に取り付けられる前記ハンドグリップベルト１１の他に、カメラ部２にも着脱自在なハンドグリップベルト７１を取り付けたものである。カメラ部２用のハンドグリップベルト７１は、図１５に示すように、ベルト部７１ａと、ベルト部７１ａに取り付けられた甲当て部７１ｂとからなり、ベルト部７１ａの両端を、カメラ部２のベルト取り付け部（図示せず）に嵌め込むようになっている。
【００６５】
かような構成をとる本第９実施形態では、カメラ部２にもハンドグリップベルト７１を設けているので、図１４および図１６に示すように、カメラ部２のホールド性が向上して手振れが少なくなり、カメラ部２を分離させた際の撮影操作性が向上して、利便性が高まる。
【００６６】
次に、本発明の第１０実施形態を、図１７〜図１９を用いて説明する。図１７〜図１９は本発明の第１０実施形態に係り、図１７はビデオカメラ付きＶＴＲのカメラ部２をスタンド脚を用いて自立させた状態の斜視図、図１８は同じくカメラ部２をスタンド脚を用いて自立させた状態の側面図、図１９はスタンド脚を折り畳んだ状態のカメラ部２の底面図である。
【００６７】
本第１０実施形態は、カメラ部２の底面側に、カメラ部２と一体の折り畳み可能なスタンド脚手段８１を設けたものである。ここでは、スタンド脚手段８１を３本の脚８１ａ，８１ｂ，８１ｃで構成しており、図１９に示すように、脚８１ａと脚８１ｂとは、カメラ部２の底面の正面寄り側において、軸支部８２ａ，８２ｂを回動中心として所定量回動可能なように保持されており、脚８１ｃは、カメラ部２の底面の背面側寄りにおいて、軸支部８２ｃ回動中心として所定量回動可能なように保持されている。各脚８１ａ，８１ｂ，８１ｃは、未使用時には図１９に示すように、カメラ部２の底面に接するように折り畳まれ、スタンド脚手段８１によってカメラ部２を自立させる時には、図１７および図１８に示すように、各脚８１ａ，８１ｂ，８１ｃを引き出し・回動させて、用いるようになっている。なお、各脚８１ａ，８１ｂ，８１ｃの先端には、ゴム等の滑り止め部材を被せることが望ましい。
【００６８】
かような構成をとる本第１０実施形態では、カメラ部２と一体の折り畳み可能なスタンド脚手段８１を設けているので、別部材の三脚等を用意しなくても、カメラ部２をスタンド脚手段８１を用いて確実に自立させることができ、大いに利便性が向上する。また、スタンド脚手段８１は、未使用時にはカメラ部２の底面に接するように折り畳まれるので、かさばることもない。
【００６９】
次に、本発明の第１１実施形態を、図２０および図２１を用いて説明する。図２０は本発明の第１１実施形態に係るビデオカメラ付きＶＴＲのカメラ部２を背面側から見た斜視説明図、図２１は図２０のカメラ部の要部断面図である。
【００７０】
本第１１実施形態は、カメラ部２に、前記した接続コード３を巻き取るためのコードリール機構を設けたものである。すなわち、図２１に示すように、カメラ部２の背面側には回転可能なようにコードリール９１が内蔵されており、このコードリール９１と一体の操作蓋９２が、カメラ部２の背面の外筐体の一部を構成している。前記接続コード３の一端は、コードリール９１に結合されており、接続コード３はカメラ部２の背面に穿設した小穴９３を通して、カメラ部２の外部に導出されている。そして、操作蓋９２の操作用凹み９２ａを用いて、操作蓋９２を所定方向に回転操作することによって、接続コード３はコードリール９１に巻き取られ、また、接続コード３を引っ張ることによって、接続コード３はコードリール９１から引き出される。
【００７１】
かような構成をとる本第１１実施形態では、カメラ部２に接続コード３を巻き取るためのコードリール機構を設けているので、接続コード３を必要な長さだけ引き出して用いることができ、接続コード３がからまることが少なくなって、大いに利便性が向上する。また、長さの異なる接続コードを複数用意する必要もない。
【００７２】
最後に、本発明の第１２実施形態を、図２２〜図２４を用いて説明する。図２２４〜図２４は本発明の第１２実施形態に係り、図２２はビデオカメラ付きＶＴＲのカメラ部２を正面側から見た斜視説明図、図２３はカメラ部２を首からぶら下げている状態を示す説明図、図２４はカメラ部２を懸下して撮影を行っている状態を示す説明図である。
【００７３】
本第１２実施形態は、図２２に示すように、カメラ部２の上面に、カメラ部２用のアタッチメント等を取り付けるためのユニファイネジ部１０１を設けたものである。このユニファイネジ部１０１に、つり下げ用バンド１０２を取り付ければ、図２３に示すように、カメラ部２２を首からぶら下げて携行できる。また、ユニファイネジ部１０１に、懸下用バー１０３を取り付ければ、図２４に示すように、地面に近い被写体を、撮影者（ここでは、前記した第撮影者２）が屈み込むことなく、楽な姿勢で撮影することができる。
【００７４】
かような構成をとる本第１２実施形態では、カメラ部２の上面に設けたユニファイネジ部１０１に、各種のアタッチメントを容易に取り付けることができるため、携帯時や撮影時の形態に汎用性が高まり、利便性が向上する。
【００７５】
以上、本発明を図示した各実施形態によって説明したが、当業者には本発明の精神を逸脱しない範囲で種々の変形が可能であることは言うまでもなく、また、各実施形態を適宜に組み合わせて実施可能であることも言うまでもない。
【００７６】
【発明の効果】
本発明によれば、記録部とビデオカメラ部とを分離した状態、及び連結した状態での使い勝手をより一層向上させることができる。
【図面の簡単な説明】
【図１】本発明の第１実施形態に係るビデオカメラ付きＶＴＲにおける、ＶＴＲ部とカメラ部とを一体化した状態での斜視図である。
【図２】本発明の第１実施形態に係るビデオカメラ付きＶＴＲにおける、ＶＴＲ部とカメラ部とを分離した状態での斜視図である。
【図３】本発明の第１実施形態に係るビデオカメラ付きＶＴＲのカメラ部を正面側から見た斜視説明図である。
【図４】本発明の第１実施形態に係るビデオカメラ付きＶＴＲにおける、ＶＴＲ部とカメラ部の通話制御系回路を示すブロック図である。
【図５】本発明の第２実施形態に係るビデオカメラ付きＶＴＲのカメラ部内の概略構成を示す正面側から見た斜視説明図である。
【図６】本発明の第２実施形態によるカメラ部２内の要部回路構成を示すブロック図である。
【図７】本発明の第３実施形態に係るビデオカメラ付きＶＴＲのカメラ部を背面側から見た斜視説明図である。
【図８】本発明の第３実施形態によるカメラ部２内の要部回路構成を示すブロック図である。
【図９】本発明の第４実施形態に係るビデオカメラ付きＶＴＲのカメラ部を正面側から見た斜視説明図である。
【図１０】本発明の第５実施形態に係るビデオカメラ付きＶＴＲのカメラ部を背面側から見た斜視説明図である。
【図１１】本発明の第６実施形態に係るビデオカメラ付きＶＴＲのカメラ部を背面側から見た斜視説明図である。
【図１２】本発明の第７実施形態に係るビデオカメラ付きＶＴＲのカメラ部を正面側から見た斜視説明図である。
【図１３】本発明の第８実施形態に係るビデオカメラ付きＶＴＲのカメラ部を正面側から見た斜視説明図である。
【図１４】本発明の第９実施形態に係るビデオカメラ付きＶＴＲのカメラ部を左手でホールドした状態の説明図である。
【図１５】本発明の第９実施形態に係るビデオカメラ付きＶＴＲのカメラ部用のハンドグリップベルトの斜視図である。
【図１６】本発明の第９実施形態に係るビデオカメラ付きＶＴＲにおいて、ＶＴＲ部１を右手で、カメラ部２を左手でそれぞれホールドした状態の説明図である。
【図１７】本発明の第１０実施形態に係るビデオカメラ付きＶＴＲのカメラ部をスタンド脚を用いて自立させた状態の斜視図である。
【図１８】本発明の第１０実施形態に係るビデオカメラ付きＶＴＲのカメラ部をスタンド脚を用いて自立させた状態の側面図である。
【図１９】本発明の第１０実施形態に係るビデオカメラ付きＶＴＲのカメラ部の、スタンド脚を折り畳んだ状態の底面図である。
【図２０】本発明の第１１実施形態に係るビデオカメラ付きＶＴＲのカメラ部を背面側から見た斜視説明図である。
【図２１】本発明の第１１実施形態に係るビデオカメラ付きＶＴＲのカメラ部の要部断面図である。
【図２２】本発明の第１２実施形態に係るビデオカメラ付きＶＴＲのカメラ部を正面側から見た斜視説明図である。
【図２３】本発明の第１２実施形態に係るビデオカメラ付きＶＴＲのカメラ部を、首からぶら下げている状態を示す説明図である。
【図２４】本発明の第１２実施形態に係るビデオカメラ付きＶＴＲのカメラ部を、懸下して撮影を行っている状態を示す説明図である。
【符号の説明】
１  ＶＴＲ部
２  カメラ部（ビデオカメラ部）
３  接続コード
４  装着台座部
５  マイク
６  スピーカ
７  撮影レンズ
８  マイク
９  スピーカ
１０  液晶ディスプレイ
３１  サブバッテリー
３２  半導体メモリー
３３  記録スタート／ストップボタン
４１  ズーム調整ボタン
５１  簡易ファインダー
５３  光学ビューファインダー
５４  電子ビューファインダー
６１  タリーランプ
７１  ハンドグリップベルト
８１  スタンド脚手段
９１  コードリール
９２  操作蓋
１０１  ユニファイネジ部
【図１】
0003732572.tif 000002
【図２】
0003732572.tif 000003
【図３】
0003732572.tif 000004
【図４】
0003732572.tif 000005
【図５】
0003732572.tif 000006
【図６】
0003732572.tif 000007
【図７】
0003732572.tif 000008
【図８】
0003732572.tif 000009
【図９】
0003732572.tif 000010
【図１０】
0003732572.tif 000011
【図１１】
0003732572.tif 000012
【図１２】
0003732572.tif 000013
【図１３】
0003732572.tif 000014
【図１４】
0003732572.tif 000015
【図１５】
0003732572.tif 000016
【図１６】
0003732572.tif 000017
【図１７】
0003732572.tif 000018
【図１８】
0003732572.tif 000019
【図１９】
0003732572.tif 000020
【図２０】
0003732572.tif 000021
【図２１】
0003732572.tif 000022
【図２２】
0003732572.tif 000023
【図２３】
0003732572.tif 000024
【図２４】
0003732572.tif 000025